(57)【特許請求の範囲】
【請求項１】
前後端を開放した筒状の容器本体と、前記容器本体の前端部に嵌着された蓋体と、前記容器本体内に液密にして摺動可能に嵌挿された押し蓋とでカートリッジを構成すると共に、前記カートリッジが着脱自在に嵌着する固定蓋と、前記固定蓋の中心を貫通して前後進可能に螺合するネジ棒とで押出し機構を構成して成るカートリッジ式押出容器において、前記固定蓋は、前記カートリッジを係合する上筒部および内周面に前記ネジ棒と螺合する雌ネジを設け複数のスリットで分割されてなる下筒部を有する筒体と、前記下筒部の外周に回転可能に係合する回転体とを備えて構成され、前記下筒部と前記回転体とに前記下筒部を縮径、復径させるカム機構を設けたことを特徴とするカートリッジ式押出容器。
【請求項２】
前記カム機構は、前記分割されてなる下筒部の外周面に突起を設ける共に、前記回転体の内周面に前記突起と係合する凹所を有する横断面形状が内周面方向に傾斜したガイド突起を設けて構成されていることを特徴とする請求項１記載のカートリッジ式押出容器。
【発明の詳細な説明】
【０００１】
【発明の属する技術分野】
円筒状の容器に充填した高粘度の内容物をネジ棒の推進による押出し機構で押し出し、内容物を使い切ると新しい内容物が充填された容器に交換して押出し機構部分を繰り返し使用するカートリッジ式押出容器に関する。
【０００２】
【従来の技術】
高粘度の内容物を少量ずつ押し出すのに適した容器として、実公昭５５−１０３１１号公報に開示されたものが知られている。
【０００３】
この押出容器は、先端にノズルを有し後端を開放した筒状本体と、この筒状本体内に液密にして摺動可能に嵌挿された押し蓋とでカートリッジが構成され、前記筒状本体の後端に着脱自在に嵌着する固定蓋と、この固定蓋の中心を貫通して前後進可能に螺合するネジ棒とで押出し機構が構成されている。
【０００４】
内容物を取り出すときは、ネジ棒を回して筒状本体内を螺進させることにより、ネジ棒の先端で押し蓋を押圧前進させて内容物を押出すものであり、高粘度の内容物の押し出しに好適な機構となっている。
【０００５】
内容物を使い切ると、カートリッジを押し出機構から取り外し、新しい内容物が充填されたカートリッジを再び押出し機構に取り付けて、押出し機構を再使用するようになっている。
【０００６】
【発明が解決しようとする課題】
ところで、上記従来の押出容器は、押出し機構が再使用できるものの、新規のカートリッジに交換する際、前進し切ったネジ棒を使い始めの位置まで巻き戻さなければ新規のカートリッジを装着することができず、巻き戻しという面倒なセット作業が避けられない欠点を有している。
【０００７】
特に、内容物が歯科用の充填材や接着剤のように、高粘度で押出し抵抗が大きく、且つ一回の取り出し量の微調整を必要とする内容物では、ネジ棒の螺子のリードが短く設定されている。従って、ネジ棒を回転させて長い螺子ストロークを巻き戻す作業は時間もかかり、新規のカートリッジをセットする際の使用者の負担が大きかった。
【０００８】
本発明は、上記の問題に鑑みてなされたもので、ネジ棒の巻き戻しをすることなく新規のカートリッジを押出し機構に簡単に装着できるようにすることにある。
【０００９】
【課題を解決するための手段】
本発明は、前後端を開放した筒状の容器本体と、前記容器本体の前端部に嵌着された蓋体と、前記容器本体内に液密にして摺動可能に嵌挿された押し蓋とでカートリッジを構成すると共に、前記カートリッジが着脱自在に嵌着する固定蓋と、前記固定蓋の中心を貫通して前後進可能に螺合するネジ棒とで押出し機構を構成して成るカートリッジ式押出容器において、前記固定蓋は、前記カートリッジを係合する上筒部および内周面に前記ネジ棒と螺合する雌ネジを設け複数のスリットで分割されてなる下筒部を有する筒体と、前記下筒部の外周に回転可能に係合する回転体とを備えて構成され、前記下筒部と前記回転体とに前記下筒部を縮径、復径させるカム機構を設け、前記回転体の回転によるカム機構の作動で、下筒部が縮径した状態のときネジ棒が螺合し、下筒部が復径状態のときネジ棒の螺合を解除することで前記課題の解決手段とした。
【００１０】
また、前記カム機構は、前記分割されてなる下筒部の外周面に突起を設けると共に、前記回転体の内周面に前記突起と係合する凹所を有する横断面形状が内周面方向に傾斜したガイド突起を設けて構成されており、回転体の僅かな回転でカム機構が作動し、ネジ棒を螺合状態にもフリー状態にも迅速にできるようにした。
【００１１】
【発明の実施の形態】
以下、本発明の好適な実施の形態を添付図面を参照しながら詳細に説明する。
【００１２】
図１乃至図６は、本発明のカートリッジ式押出容器の実施の形態を示すものであり、前後端を開放した筒状の容器本体１と、容器本体１の前端部１ａに嵌着された蓋体５と、容器本体１内に液密にして摺動可能に嵌挿された押し蓋７とでカートリッジＣが構成され、このカートリッジＣが着脱自在に嵌着する固定蓋１０と、固定蓋１０の中心を貫通して前後進可能に螺合するネジ棒４０とで押出し機構Ｋが構成されている。
【００１３】
容器本体１は、前後端が開放され内側が軸線方向にほぼストレートな内周壁２から成る収納部を有する筒状体であり、その先端部１ａの外周には蓋体５係着用の突起３が周設され、その後端部には押出し機構Ｋの固定蓋１０に螺着する為の雄ネジ４が設けられている。
【００１４】
容器本体１の収納部には歯科用接着剤等の高粘度の内容物Ｎが充填されており、先端開口は先端部１ａに嵌脱自在な蓋体５によって密封され、後端開口は容器本体１内に液密に嵌挿された押し蓋７によって封止されており、全体として高粘度内容物用のカートリッジＣを構成している。
【００１５】
押し蓋７は、カートリッジＣの後端開口を封止する共に、螺進するネジ棒４０に押されてピストン状に収納部内を液密に摺動して内容物Ｎを押し出すものであり、容器本体１の内周壁２に密接するようにポリエチレンなどの比較的軟質の合成樹脂やポリアミドなどの摩擦が少なく摺動に適した合成樹脂で形成されている。
【００１６】
上記のカートリッジＣが装着される押出し機構Ｋの固定蓋１０は、基本的には、筒体２０と回転体２５とから構成されている。
【００１７】
筒体２０は、上筒部１３と下筒部１６とから構成され、上筒部１３の内周面にはカートリッジＣの雄ネジ４と螺合する雌ネジ１２が設けられ、この雌ネジ１２の基端にはカートリッジＣのストッパとなる内向きフランジ１３ａが周設されているとともに、外側に外向きのフランジ１４が周設されている。また、下筒部１６は、前記フランジ１３ａ、１４の下方に一体形成されている。
【００１８】
下筒部１６の外周面上方には回転体２５を回転可能に係止する係合突起１６ａが周設されており、この係合突起１６ａの下方は、縦方向４本のスリット１５で等分割され、分割されたそれぞれの外周面にはカム機構を構成する突起２３が突設されていると共に内周面にはネジ棒４０と螺合可能な雌ネジ１７が設けられている。
【００１９】
この下筒部１６の内径は、拡径状態のときネジ棒４０が自由に挿通可能とされており、下筒部１６の各分割片をスリット１５で内側に撓めて縮径したとき、下筒部１６の雌ネジ１７とネジ棒４０とが螺合する寸径とされている。
【００２０】
本実施の形態にあっては、図２に示すように、筒体２０は、一対の筒体部材２０ａ、２０ｂをボス２１嵌合で仮止めし、上筒部１３に固定リング２２を強制嵌合して組み付けて構成してある。固定リング２２による筒体部材２０ａ、２０ｂの固定にはアンダーカット１８による嵌合と縦リブ１９による嵌合が併用されており、固定リング２２は回転不能にして抜け出し不能とされている。
【００２１】
尚、筒体２０は、筒体部材２０ａ、２０ｂと固定リング２２を別部材とせずに、これらを一体成形した物としてもよい（図示省略）。
【００２２】
固定蓋１０のもう一方の構成部材である回転体２５は、ネジ棒４０が挿通する貫通孔２８が中心に設けられた円板２６に周壁２７を立設した蓋状に形成されており、回転体２５と下筒部１６とで構成するカム機構の操作部材である。
【００２３】
回転体２５の周壁２７の内周面開口近傍には下筒部１６の係合突起１６ａと係合する係合突起２９が周設されており、回転体２５は係合突起１６ａ、２９同志の係合によって筒体２０の下筒部１６に回転可能に係着されている。
【００２４】
また、回転体２５の周壁２７内周面には、筒体２０側のカム機構を構成する下筒部１６の突起２３に対応して、回転体２５側のカム機構を構成する内周面方向に傾斜したガイド突起３０が設けられており、このガイド突起３０の傾斜面３１には、下筒部１６の突起２３が係合することにより回転体２５を拘束するとともに回転体１５の位置を下筒部１６が縮径された位置に保持する凹所３２が縦溝状に設けられている。
【００２５】
ネジ棒４０は、雄ネジ４１が螺設された螺子杆４２と、螺子杆４２基端の摘み４３とから構成されており、螺子杆４２と下筒部１６の雌ネジ１７とが螺合状態にあるとき、摘み４３を回すことにより螺進し、螺子杆４２の先端でカートリッジＣ内の押し蓋７を押し進めて内容物Ｎを少量ずつ押し出すものである。
【００２６】
螺子杆４２の基端部には無ネジ部分４４が設けられており、ネジ棒４０を押し切った使い終わりにネジ棒４０の螺合が無ネジ部分４４で外れて空回転し、ネジ棒４０が螺進しないようにしてある。これによりネジ棒４０の摘み４３による回転体２５への締め付けが回避され、回転体２５の回転、即ちカム機構の作動に支障が無いようにしている。
【００２７】
以上のように構成された本実施の形態の操作と作用を説明すると、図１に示すように、カートリッジＣが押出し機構Ｋに装着され使用可能な状態にあるとき、図６に示すように、下筒部１６のカム機構の突起２３が回転体２５のガイド突起３０の凹所３２に係合して、図４に示すように、下筒部１６の各片が軸方向に撓んで縮径し、下筒部１６内周面の雌ネジ１７とネジ棒４０の雄ネジは螺合状態にある。従って、ネジ棒４０は時計方向に回転することにより螺進し、最終的に押し蓋７をカートリッジＣの先端部１ａまで押し切ることにより内容物Ｎを押し出しきる。
【００２８】
新しいカートリッジＣに交換するときは、固定蓋１０を持って回転体２５を４５度逆時計方向に回転させることにより、下筒部１６の突起２３がガイド突起３０の凹溝３２から外れ、縮径状態にあった下筒部１６は自己復帰力により弾性復元して拡径状態となる（図５参照）。
【００２９】
拡径した下筒部１６は、図３に示すように、ネジ棒４０との螺合を解除し、ネジ棒４０をフリーにする。従って、ネジ棒４０を何回も逆回転させることなく新しいカートリッジＣが装着可能な所望の位置迄引き戻すことができる。
【００３０】
ネジ棒４０を所望の位置に引き戻してから、回転体２５を４５度時計方向に回転させる。下筒部１６の突起２３がガイド突起３０の傾斜面３１を摺動して凹所３２に嵌合し、下筒部１６は縮径して再びネジ棒４０と螺合する。このカム機構の操作により、押し出機構Ｋはネジ棒４０の螺進可能状態にセットされる。
【００３１】
セットの完了によりネジ棒４０は下筒部１６に位置を安定して保持されるとともに、突起２３が凹所３２に嵌入する際の感触でセット操作の完了したことが感知される。
【００３２】
【発明の効果】
本発明は、以上説明したような形態で実施され、以下に記載されるような効果を奏する。
【００３３】
固定蓋の下筒部と回転体とにカム機構を設け、回転蓋の僅かな回転操作で下筒部が縮径、復径して、ネジ棒の螺合とその解除が簡単にできるようにしたので、カートリッジの交換の際、ネジ棒の巻き戻しが不要となるとともに、押し出機構のセットが容易となり、カートリッジの交換を迅速にすることができる。従って、押出容器を使用する作業現場での負担を少なくしてロスタイムを著しく短縮する大きなメリットがある。
【００３４】
また、本発明による押出容器を用いた商品は、カートリッジと押し出機構を分離しておくことができるので、流通時や保管時にコンパクト化が可能であり、場所を取らないので便利である。
【図面の簡単な説明】
【図１】本発明のカートリッジ式押出容器の押し出し可能な状態を示す半断面図。
【図２】図１の容器の分解斜視図。
【図３】図１の容器のネジ棒の螺合が解除状態にある場合を示す主要部の拡大半断面図。
【図４】図１の容器のネジ棒が螺合状態にある場合を示す主要部の拡大半断面図。
【図５】図３のＡ矢視方向を示す断面図。
【図６】図４のＢ矢視方向を示す断面図。
【符号の説明】
１  容器本体，１ａ  先端部，５  蓋体，７  押し蓋，１０  固定蓋，１２  雌ネジ，１３  上筒部，１５  スリット，１６  下筒部，２０  筒体，２３  突起，２５  回転体，３０  ガイド突起，３２  凹所，４０  ネジ棒，Ｃ  カートリッジ，Ｋ  押し出機構，
【図１】
0004264772.tif 000002
【図２】
0004264772.tif 000003
【図３】
0004264772.tif 000004
【図４】
0004264772.tif 000005
【図５】
0004264772.tif 000006
【図６】
0004264772.tif 000007